(57)【要約】【課題】鉄塔又は鉄構の任意の場所に容易に取り付けることが可能で、簡単な構成のステップボルト機構を提供すること。【解決手段】山形鋼を柱体とする構造物に作業者が昇り降りするために山形鋼に装着されるステップボルト機構において、一方の端部側の所定長さ領域に形成された雄ネジ部２４と他方側端部から所定長さ領に亘って形成されたステップ部２８とを有するボルト部材２２と、ボルト部材２２の雄ネジ部２４とそれぞれ螺合可能な雌ネジ部２０が貫通形成された２つの係止部材１２であって、各雌ネジ部２０が互いに逆方向に切られ、共に螺合された状態で、山形鋼の一方の片を係止部材１２の一方が、他方の片を係止部材１２の他方がそれぞれ同時に受け入れ可能な凹溝部１８を有する２つの係止部材１２と、を有する。【選択図】図１
2013005506.tif 000002
【特許請求の範囲】
【請求項１】
山形鋼を柱体とする構造物に作業者が昇り降りするために前記山形鋼に装着されるステップボルト機構において、
一方の端部側の所定長さ領域に形成された雄ネジ部と他方側端部から所定長さに亘って形成されたステップ部とを有するボルト部材と、
該ボルト部材の前記雄ネジ部とそれぞれ螺合可能な雌ネジ部が貫通形成された２つの係止部材であって、前記各雌ネジ部が互いに逆方向に切られ、共に前記雄ネジ部に螺合された状態で、前記山形鋼の一方の片を前記係止部材の一方が、他方の片を前記係止部材の他方がそれぞれ同時に受け入れ可能な凹溝部を有する２つの係止部材と、
を有することを特徴とするステップボルト機構。
【請求項２】
前記ボルト部材は、
端部に該ボルト部材に対して回動可能に軸着された付加部材を有することを特徴とする請求項１に記載のステップボルト機構。
【請求項３】
前記ステップ部は、
前記付加部材を前記ボルト部材に対して略直線状となるように回動させた状態で、前記付加部材を挿通可能で且つ該挿通状態で前記ボルト部材の雄ネジ部に螺合可能な雌ネジ部を有する筒状体を有し、
前記付加部材が前記ステップ部を構成することを特徴とする請求項２に記載のステップボルト機構。
【請求項４】
前記２つの係止部材は、
該２つの係止部材が前記山形鋼のそれぞれの片を受け入れた状態で、前記ステップ部が前記山形鋼の２つの片の側端部を結んだ仮想線に略平行に延在するように、前記それぞれの雌ネジ部の形成方向が設定されていることを特徴とする請求項１から３の何れか１項に記載のステップボルト機構。
【発明の詳細な説明】
【技術分野】
【０００１】
本発明は、送電線用の鉄塔又は発変電所構内の鉄溝等に取り付けられ作業者が昇り降りするためのステップボルト機構に関する。
【背景技術】
【０００２】
送電線用の鉄塔又は発変電所構内の鉄構は、主に等辺山形鋼（以下、Ｌ型アングル材と称する）で構成され、このＬ型アングル材に、作業者が昇り降りするためのステップボルトが取り付けられている。図５は、従来のステップボルトの取り付け例を説明する概略斜視図である。鉄塔又は鉄溝は、図５（ａ）に示すようにＬ型アングル材４０の２つの片の角部を外側にして組まれる。ステップボルト４２は、頭部４２ａを有するボルト状部材であり、図５（ｂ）に示すように鉄塔又は鉄溝の特定した位置のＬ型アングル材４０に、取り付け孔を形成してナット４６により締付け固定される。通常、Ｌ型アングル材４０を挟んで２つのナット４６が使用される。取り付けられたステップボルト４２は、Ｌ型アングル材４０を構成する略直交する２つの片のどちらか一方の片から略垂直にＬ字アングル材４０の外側に突出する。また、作業者が鉄塔又は鉄溝に昇り降りするために、ステップボルト４２はＬ型アングル材４０の上下方向に沿って、千鳥状に取り付けられる。すなわち、ステップボルト４２は、Ｌ型アングル材４０の２つの片に交互に取り付けられ、作業者は概ねＬ型アングル材４０の角部に面しながら昇り降りする。
【０００３】
鉄塔又は鉄溝におけるステップボルト４２は、予め所定の位置に取り付けられている。この所定の位置は、作業者が鉄塔又は鉄溝の概ね全域に亘って作業可能となるように決められる。このため、作業者が作業するのに最適な位置に必ずしもステップボルト４２が取り付けられているとは限らず、その場合には、鉄塔又は鉄溝の斜材等を利用しており、安全上問題となることもあった。
【０００４】
このような問題を解決するため、鉄塔又は鉄構の更に多くの箇所にステップボルト４２を取り付けることが考えられる。しかし、経済性の問題、主材であるＬ型アングル材４０の強度低下の問題、及び取り付け孔形成のために腐食等の問題が発生するため実際的ではない。
【０００５】
そこで、ステップボルトを鉄塔又は鉄溝の任意の場所に取り付けられるようにした構成が特許文献１、２に開示されている。特許文献１のステップボルト支持装置は、支持部本体があり、この支持部本体に直交する位置関係で２本のボルトが螺合する。これらのボルトにはそれぞれ係止片が装着されており、ステップボルトは２本のボルトの何れか一方のボルトの延在方向に、支持部本体に螺合されナットによりネジ止めされている。この構成により、鉄塔の主材であるＬ型アングル材は、それぞれの片が幅方向に係止片と支持部本体との間でボルトにより押圧係止されるので、ステップボルトをＬ型アングル材の任意の場所に取り付けることが可能である。
【０００６】
特許文献２の鉄塔組立用ステップボルトは、ステップ部と支持部を備えるステップボルト、ステップボルトとＴ字状に係合するアイボルト、Ｌ型アングル材にステップボルトとアイボルトとの組立体を取り付ける２つの止め金具、及び止め金具を締め付けるナットを有する。この構成により、Ｌ型アングル材は、それぞれの片が幅方向に止め金具とアイボルト及び止め金具とステップボルトとの間でナットにより押圧係止される。この構成により、ステップボルトをＬ型アングル材の任意の場所に取り付けることが可能である。
【先行技術文献】
【特許文献】
【０００７】
【特許文献１】特開２００９−２７８８５３号公報
【特許文献２】実開昭５８−１６８６９９号公報
【発明の概要】
【発明が解決しようとする課題】
【０００８】
特許文献１、２に開示されている構成によれば、Ｌ型アングル材のそれぞれの片を、止め金具又は係止片等を用いて幅方向に押圧挟持する構成であるので、ステップボルトを鉄塔又は鉄構の任意の場所に取り付けることが可能である。しかし、ステップボルトをＬ型アングル材に取り付ける際には、少なくとも２つのボルト又はナットの螺合作業が必要であり、鉄塔又は鉄構でのそのような作業は煩雑で時間を要する。特に、高所での作業となる場合には、安全性を確保しての作業となるため、更に長時間に亘る作業となる。
【０００９】
本発明は、上記課題に鑑みてなされたものであり、その目的は、鉄塔又は鉄構の任意の場所に容易に取り付けることが可能で、簡単な構成のステップボルト機構を提供することにある。
【課題を解決するための手段】
【００１０】
上記目的を達成するため、請求項１に記載のステップボルト機構は、山形鋼を柱体とする構造物に作業者が昇り降りするために前記山形鋼に装着されるステップボルト機構において、一方の端部側の所定長さ領域に形成された雄ネジ部と他方側端部から所定長さに亘って形成されたステップ部とを有するボルト部材と、該ボルト部材の前記雄ネジ部とそれぞれ螺合可能な雌ネジ部が貫通形成された２つの係止部材であって、前記各雌ネジ部が互いに逆方向に切られ、共に前記雄ネジ部に螺合された状態で、前記山形鋼の一方の片を前記係止部材の一方が、他方の片を前記係止部材の他方がそれぞれ同時に受け入れ可能な凹溝部を有する２つの係止部材と、を有することを特徴とする。
【００１１】
この構成によれば、ステップ部を有するボルト部材に螺合される２つの係止部材は、雌ネジ部が互いに逆方向に切られているので、ボルト部材を回転させると互いに近接・離反動作する。そして、この２つの係止部材には、山形鋼の２つの片の側端部が同時に受け入れ可能な凹溝部がそれぞれ形成されている。したがって、ボルト部材を回転させ、２つの側端部を係止部材の凹溝部に同時に受け入れさせ、更にボルト部材を回転させることで２つの係止部材は山形鋼に押圧固定される。したがって、簡単な構成によって山形鋼の任意の場所に容易に取り付けることが可能である。
【００１２】
請求項２に記載のステップボルト機構は、請求項１に記載のステップボルト機構において、前記ボルト部材は、端部に該ボルト部材に対して回動可能に軸着された付加部材を有することを特徴とする。したがって、付加部材を軸着部分で回動させ、該付加部材をボルト部材に対して角度付けすることができ、これにより付加部材をハンドルとして用いてボルト部材を回転させることができる。したがって、取り付けのための工具を必要とせず、一層容易かつ簡単に本発明に係るステップボルト機構を取り付けることが可能である。工具を必要としないことから高所作業となる場合でも安全に取り付けることができる。
【００１３】
請求項３に記載のステップボルト機構は、請求項２に記載のステップボルト機構において、前記ステップ部は、前記付加部材を前記ボルト部材に対して略直線状となるように回動させた状態で、前記付加部材を挿通可能で且つ該挿通状態で前記ボルト部材の雄ネジ部に螺合可能な雌ネジ部を有する筒状体を有し、前記付加部材が前記ステップ部を構成することを特徴とする。したがって、山形鋼に２つの係止部材を取り付けた後に、付加部材をボルト部材に対して略直線状となるように回動させた状態で、筒状体に付加部材を挿通し、更に筒状体をボルト部材の雄ネジ部に螺合させることで、付加部材が軸着された部分で折れ曲がることが防止され、付加部材をステップ部として使用することができる。すなわち、筒状体を設けたことにより、付加部材をステップボルト機構の取り付けのための工具として、更にステップボルト機構のステップ部として使用することが可能である。
【００１４】
請求項４に記載のステップボルト機構は、請求項１から３の何れか１項に記載のステップボルト機構において、前記２つの係止部材は、該２つの係止部材が前記山形鋼のそれぞれの片を受け入れた状態で、前記ステップ部が前記山形鋼の２つの片の側端部を結んだ仮想線に略平行に延在するように、前記それぞれの雌ネジ部の形成方向が設定されていることを特徴とする。したがって、取り付けられたステップボルト機構のステップ部は、互いに略平行の位置関係となるので、作業者がステップ部を利用して構造物に昇り降りする際に、通常のはしごを使用しているようにより安全に昇り降りすることが可能である。
【発明の効果】
【００１５】
本発明のステップボルト機構によれば、２つの係止部材を簡単に山形鋼の各片に装着させることができる。そして、ボルト部材を回転させることで２つの係止部材を山形鋼に押圧固定できる。したがって、本発明に係るステップボルト機構は、作業者が作業に適する鉄溝等の任意の位置に、簡単に取り付けることが可能であり、作業後は簡単に取り外して移動することが可能である。
【図面の簡単な説明】
【００１６】
【図１】本発明の第１の実施の形態に係るステップボルト機構の概略斜視図である。
【図２】本発明の第２の実施の形態に係るステップボルト機構の概略斜視図である。
【図３】本発明の第３の実施の形態に係るステップボルト機構の概略斜視図である。
【図４】図３のステップボルト機構の取り付け例を示す鉄構の概略斜視図である。ただし、鉄溝は等辺山形鋼で構成され、ステップボルト機構が３つ取り付けられている部分について、等辺山形鋼の裏側からみた様子を示す。
【図５】従来のステップボルトの取り付け例を示す概略斜視図であり、図４(ａ)は、山形鋼を組み立てた鉄塔の様子を、図４（ｂ）はステップボルトの取り付けの様子を示す。
【発明を実施するための形態】
【００１７】
以下、本発明のステップボルト機構の実施の形態を、図面を参照しつつ詳述する。図１は、本発明の第１の実施の形態に係るステップボルト機構の概略斜視図を示す。
【００１８】
ステップボルト機構１０は、ボルト部材２２と２つの係止部材１２を有する。ボルト部材２２は、一方の端部側の所定長さ領域に形成された雄ネジ部２４と、他方側端部から所定長さに亘って形成されたステップ部２８を有する。雄ネジ部２４には、後述する２つの係止部材１２が螺合する。また、雄ネジ部２４には全長に亘り雄ネジが形成されてはおらず、上記の係止部材１２が移動する範囲にだけ形成されている。なお、雄ネジが雄ネジ部２４全長に亘り形成されていても良い。
【００１９】
ステップ部２８は、作業者が昇り降りする時に手足を掛ける部分であるが、必要な長さが確保され、その表面には滑り止め防止として模様２８ｂが刻まれている。また、先端には頭部２８ａが設けられている。
【００２０】
係止部材１２は、凹溝部１８が形成された係止部１４と、雌ネジ部２０が貫通形成された基部１６を有する。本実施の形態においては、雌ネジ部２０が貫通形成された基部１６は略直方体形状を為しており、この基部１６に凹溝部１８が形成された略直方体形状の係止部１４が角度を付して一体形成してある。係止部１４と基部１６の上面及び下面は、それぞれ同一面を構成している。この係止部１４と基部１６とは、平面視で略４５度の角度を為して構成されている。
【００２１】
基部１６に貫通形成される雌ネジ部２０は、２つの係止部材１２では、互いに逆方向に形成されている。すなわち、ボルト部材２２に螺合された状態で、雄ネジ部２４を右方向に回転させたときに、２つの係止部材１２は互いに近接するように構成されている。雄ネジ部２４を左方向に回転させたときには、２つの係止部材１２は互いに離反するように構成されている。
【００２２】
係止部１４に形成された凹溝部１８は、溝幅がＬ型アングル材４０の厚さと略同一であり、凹溝部１８の両端は解放されている。凹溝部１８の溝面は、ネジ部２４の延在方向と略４５度の角度を為している。ただし、一方の係止部材１２の凹溝部１８と、他方の係止部材１２の凹溝部１８とは、雄ネジ部２４に螺合した状態で、互いの溝の深さ方向が略直交するように構成されている。
【００２３】
ここで、２つの係止部材１２は、Ｌ型アングル材４０のそれぞれの片を受け入れた状態で、ステップ部２８がＬ型アングル材４０の２つの片の側端部を結んだ仮想線に略平行に延在するように、それぞれの雌ネジ部２０の形成方向が設定されている。すなわち、凹溝部１８の深さ方向と雄ネジ部２４の延在方向とは略４５度を為すように、雌ネジ部２０が基部１６に貫通形成されている。したがって、取り付けられたステップボルト機構１０のステップ部２８は、後述するように互いに略平行の位置関係となる。
【００２４】
上述した構成により、雄ネジ部２４を回転させると、２つの係止部材１２が互いに近接又は離反する。ここで、凹溝部１８の溝の長さ方向を揃えた状態では、溝の深さ方向が常に略９０度の角度を保ちながら、互いに近接、離反することとなる。ここで、実際に取り付ける場合においては、凹溝部１８の溝の長さ方向は、Ｌ型アングル材４０の長手（上下）方向と同一の方向となる。なお、凹溝部１８の深さ及び長さは、Ｌ型アングル材４０の寸法やステップ部２８に印加される荷重等を考慮して適宜決められる。
【００２５】
更に、ボルト部材２２の雄ネジ部２４の端部には、ロックナット３４が螺合できるように構成されている。これにより、２つの係止部材１２をＬ型アングル材４０に取り付けたのちに、ロックナット３４を締め付けることで、ボルト部材２２が不用意に回転されることが防止される。
【００２６】
ステップボルト機構１０のＬ型アングル材４０への取り付けについて説明する。まず、ステップボルト機構１０を取り付けようとするＬ型アングル材４０の所定の場所で作業ができるように足場を確保する。予め、ボルト部材２２の雄ネジ部２４には、２つの係止部材１２を螺合させ、所定の間隔だけ離した状態にしておく。そして、Ｌ型アングル材４０の取り付け場所において、２つの係止部材１２のそれぞれの凹溝部１８の長さ方向をＬ型アングル材のそれぞれの片の上下方向に揃え、ボルト部材２２を回転して雄ネジ部２４を回転させ、２つの係止部材１２の間隔を縮めて行く。そして、Ｌ型アングル材４０のそれぞれの片の側端部を係止部１４のそれぞれの凹溝部１８に同時に受け入れさせ、更にネジ部２４を回転させて、２つの係止部１４がＬ型アングル材４０のそれぞれの側端部を押圧挟持するようにする。
【００２７】
この操作により、Ｌ型アングル材４０のそれぞれの片には、２つの係止部材１２により側端部から押圧する力が加わり、また２つの係止部材１２には互いに引き合う力が加わる。したがって、２つの係止部材１２はＬ型アングル材４０に押圧固定され、ステップボルト機構１０がＬ型アングル材４０に堅固に装着されることとなる。最後に、ロックナット３４を締めてボルト部材２２の回転を防止する。
【００２８】
本実施の形態のステップボルト機構１０によれば、２つの係止部材を簡単にＬ型アングル材４０の各片に装着させることができる。そして、ボルト部材２２を回転させることで２つの係止部材１２をＬ型アングル材４０に押圧固定できる。したがって、作業者は作業に最適なＬ型アングル材４０の任意の場所に、本実施の形態のステップボルト機構１０を容易に取り付けることが可能である。また、取り付けられたステップボルト機構のステップ部は、互いに略平行の位置関係となるので、作業者がステップ部を利用して構造物に昇り降りする際に、通常のはしごを使用しているようにより安全に昇り降りすることが可能である。
【００２９】
図２は、本発明のステップボルト機構の第２の実施の形態に係る概略斜視図である。第１の実施の形態と異なる点を説明する。本実施の形態では、ボルト部材２２のステップ部２８の端部に、付加部材３０が軸着されている。すなわち、ステップ部２８の先端に、平板状の突起部２６ｂが形成され、相対する付加部材３０の端部には平板状の突起部２６ｂを受け入れる受け部２６ｃが形成され、両者がピン２６ａにより軸着されている。
【００３０】
この構成により、付加部材３０は、軸着部分２６でボルト部材２２に対して回動可能となる。したがって、付加部材３０を軸着部分２６で回動させ、付加部材３０をボルト部材２２に対して角度付けすることができ、これにより付加部材３０をハンドルとして用いてボルト部材２４を回転させることができる。したがって、ステップボルト機構１０の取り付けのための工具を必要とせず、一層容易かつ簡単にステップボルト機構１０をＬ型アングル材４０に取り付けることが可能である。工具を必要としないことから高所作業となる場合でも安全に取り付けることができる。
【００３１】
図３は、本発明のステップボルト機構の第３の実施の形態に係る概略斜視図である。本実施の形態では、ボルト部材２２は、雄ネジ部２４とステップ部２８とが別部材で構成され、それらが軸着されている。すなわち、雄ネジ部２４の先端に、平板状の突起部２６ｂが形成され、相対するステップ部２８の端部には平板状の突起部２６ｂを受け入れる受け部２６ｃが形成され、両者がピン２６ａにより軸着されている。
【００３２】
この構成により、ステップ部２８は、軸着部分２６で雄ネジ部２４に対して回動可能となる。したがって、ステップ部２８を軸着部分２６で回動させ、ステップ部２８を雄ネジ部２４に対して角度付けすることができ、これによりステップ部２８をハンドルとして用いて雄ネジ部２４を回転させることができる。したがって、ステップボルト機構１０の取り付けのための工具を必要とせず、一層容易かつ簡単にステップボルト機構をＬ型アングル材４０に取り付けることが可能である。
【００３３】
更に、ステップ部２８は筒状体３２を有している。筒状体３２は、所定の長さを有しており、雄ネジ部２４に対して略直線状となるように回動させた状態で、軸着部分２６を挿通することが可能である。そして、この挿通状態で雄ネジ部２４に螺合可能な雌ネジ部を有している。したがって、Ｌ型アングル材４０に２つの係止部材１２を取り付けた後に、ステップ部２８を雄ネジ部２４に対して略直線状となるように回動させた状態で、筒状体３２に軸着部分２６を挿通し、更に筒状体３２を雄ネジ部２４に螺合させることで、ステップ部２８が軸着部分２６で折れ曲がることが防止され、ステップ部２８を使用することが可能となる。したがって、筒状体３２を設けたことにより、ステップ部２８をステップボルト機構１０の取り付けのための工具として使用することができ、更に本来のステップ部として使用することが可能である。
【００３４】
図４は、第３の実施の形態に係るステップボルト機構１０を鉄構のＬ型アングル材４０に取り付けた様子を示す概略斜視図である。鉄構のＬ型アングル材４０の所望の位置にステップボルト機構１０が３つ取り付けられている。なお、図４は、Ｌ型アングル材４０の裏側からステップボルト機構１０を示している。
【００３５】
ステップボルト機構１０のステップ部２８は、図示したように、Ｌ型アングル材４０の上下方向に沿って千鳥状に突出しており、ステップ部２８はＬ型アングル材４０の上下に取り付けられたステップ部２８と延在方向が略平行になっている。したがって、作業者はＬ型アングル材４０を昇り降りする際に、通常のはしごを昇り降りするようにステップ部２８に手足を掛けることができ、より安全かつ容易に昇り降りすることが可能である。
【００３６】
なお、本発明は、上述の実施の形態に限定されるものではなく、本発明の趣旨を逸脱しない範囲で種々の変更が可能である。例えば、係止部材１２の形状は略直方体形状の係止部１４と基部１６とを略４５度の角度を為して繋ぎ合わせた形状をしたものを例示したが、凹溝部１８の深さ方向と雌ネジ部２０の形成方向が所定の関係にあれば係止部１４と基部１６とを合わせた全体の形状は特に拘らない。
【符号の説明】
【００３７】
１０  ステップボルト機構
１２  係止部材
１４  係止部
１６  基部
１８  凹溝部
２０  雌ネジ部
２２  ボルト部材
２４  雄ネジ部
２６  軸着部分
２８  ステップ部
３０  付加部材
３２  筒状体（ストッパ）
３４  ロックナット
４０  Ｌ型アングル材
【図１】
2013005506.tif 000003
【図２】
2013005506.tif 000004
【図３】
2013005506.tif 000005
【図４】
2013005506.tif 000006
【図５】
2013005506.tif 000007